(57)【要約】【課題】監視設備などの異常は異常発生時の、周囲の人達への気づき度を高める【解決手段】外部電源から電源を入力する外部電源入力手段２３と、ＬＥＤ、ランプなどの第１の光源を有し緊急発生時に文字表示をおこなう第１の文字表示手段１１と、高電圧の第２の光源を有し緊急発生時に高輝度点滅をおこなう第２の高輝度表示手段１２と、前記第１の文字表示手段１１および前記第２の高輝度表示手段１２の点滅制御をおこなう表示制御手段２４とを備えた監視設備の表示装置。【選択図】図６
2008041040.tif 000002
【特許請求の範囲】
【請求項１】
外部電源から電源を入力する外部電源入力手段と、ＬＥＤ、ランプなどの第１の光源を有し緊急発生時に文字表示をおこなう第１の文字表示手段と、高電圧の第２の光源を有し緊急発生時に高輝度点滅をおこなう第２の高輝度表示手段と、前記第１の文字表示手段および前記第２の高輝度表示手段の点滅制御をおこなう表示制御手段とを備えた監視設備の表示装置。
【請求項２】
前記外部電源入力手段からの電源を昇圧し、第２の高輝度表示手段の電源とする昇圧手段と、第１の文字表示手段および第２の高輝度表示手段の点滅制御をおこなう点滅手段とを有し、前記第１の文字表示手段および前記第２の高輝度表示手段の点滅を離散的な非同期の点滅制御をおこなう表示制御手段を備えた請求項１記載の監視設備の表示装置。
【請求項３】
第１の文字表示手段の消灯時に昇圧手段の昇圧動作をおこなう表示制御手段を備えた請求項１および２記載の監視設備の表示装置。
【請求項４】
第２の高輝度表示手段の点灯時間＜第１の文字表示手段の消灯時間とするとともに前記第１の文字表示手段の消灯時に前記第２の高輝度表示手段を点灯する表示制御手段を備えた請求項１から３に記載の監視設備の表示装置
【発明の詳細な説明】
【技術分野】
【０００１】
本発明は、消火設備などの監視設備において消火動作後に入室禁止などの各種緊急情報の表示をおこなう表示装置において、監視設備と表示装置を接続する接続線路の電力損失、それにともなうシステムの拡張性を考慮し、周囲の人々への緊急発生の気づき度を高める表示をおこなうことができる監視設備の表示装置に関するものである。
【背景技術】
【０００２】
従来、この種の監視設備の表示装置は、火災などの異常発生を表示したり、自動消火設備の監視設備においては、消化剤の放出中あるいは、消化後の所定の時間、入室を禁止する表示をおこなったりしている。
【０００３】
その表示部の構成は、表示ランプやＬＥＤ（半導体発光素子）などを光源として、文字部のみ光源の光が透過するようにアクリル樹脂などの材料を使用して文字表示をおこなうようにしている。
【０００４】
また、ガス漏れなどの警報器においては、視認性を高めるためにあらかじめ定められた複数の状態検出手段が条件を満たした時にフラッシュ点灯をおこなうものもある。（特許文献１参照）
これは、状態検出手段と、判定手段と、判定に応じて光源への給電を制御する制御手段とからなる警報器において、あらかじめ定められたタイミングで光源を瞬時点灯する視認性を高めるものである。
【０００５】
また、点滅表示の欠点である消灯時に表示が読みとれないという欠点は残るものの、表示装置のフォントの太さ、サイズを周期的またはランダムに切り替えて注意を喚起する表示装置もある。（特許文献２）
しかしながら、監視設備と表示装置を接続される接続線路の電力損失、それにともなうシステム拡張性を配慮した表示装置でなく、検出手段の動作を知らしめる表示の視認性を高めて表示するものである。
【０００６】
【特許文献１】特開２００５―２９３４６６公報
【特許文献２】特開２００４−１３９２９７公報
【発明の開示】
【発明が解決しようとする課題】
【０００７】
しかしながら、従来の監視設備などの表示装置においては、次のような課題がある。
緊急表示に関しては、人命にかかわることでもあり、周囲の人々への緊急発生の気づき度と表示された文字の視認性が重要である。
【０００８】
特に消火設備などの消化剤放出後の消化剤充満中の入室禁止の表示などの場合は、緊急警報ならびに緊急放送が終了した後であり特に表示による周囲の人々への気づき度は重要になる。
【０００９】
消火設備などの表示装置は、監視設備本体と離れた場所に設置され、様々な設置環境下に設置される。周囲の明るい場所、照明の近傍などで、表示に気がつきにくい環境に設置される場合もある。
【００１０】
従来の消火設備などの表示装置は、緊急発生時に監視設備本体から表示装置の電源を受電して、表示装置の光源に電力を供給して点滅をおこなったりしていたが、表示に気づかせる気づき度は充分ではなかった。
【００１１】
従来の監視設備において、周囲の人々が緊急表示に気づく気づき度を向上させるためには、表示装置の光源に供給する電力を増加させ輝度を高め、且つ点滅することにより可能であるが、緊急発生時の文字表示に対しての気付き度を高めるためには、光源（表示ランプ）に人間が文字を認識しうるに必要な最低限の時間にわたって気づき度を満足する輝度が得られる電力を供給する必要がある。
【００１２】
監視設備のシステムは、感知器と監視設備本体あるいは監視設備本体と表示盤は離れた場所に設置されて、その間を電線で接続している。高輝度化するために光源の電力アップをおこない輝度を高めると、光源自身の電力損失の増大、監視設備と表示装置を接続する接続線の電力損失の増大により、監視設備の供給電源電圧を高めたり電源容量を高めたりする必要がある。また、システムが大きくなるに従って、電線による供給ロスの増大、などの課題があった。
【００１３】
また、これらの監視設備においては、停電時のバックアップ電池からの供給も必要なため、光源の電力アップにともなう光源自身の電力損失ならびに電線路の電力損失の増大により、表示装置に供給する電力が大きくなると、停電時の所定のバックアップ時間を確保するためにバックアップ電池の増設をせねばならないなどの課題があった。
【００１４】
本発明は、以上の課題に鑑みて、従来の監視設備の電源およびバックアップ電池の増設をおこなうことなく、異常発生時の表示の気づき度を高めることが可能な監視設備の表示装置を提供することを目的とする。
【課題を解決するための手段】
【００１５】
前記の課題を解決するために本発明の監視設備の表示装置は、外部電源から電源を入力する外部電源入力手段と、ＬＥＤ、ランプなどの第１の光源を有し緊急発生時に文字表示をおこなう第１の文字表示手段と、高電圧の第２の光源を有し緊急発生時に高輝度点滅をおこなう第２の高輝度表示手段と、前記第１の文字表示手段および前記第２の高輝度表示手段の点滅制御をおこなう表示制御手段を備えるようにしたものである。
【００１６】
これによって、高電圧の第２の光源により平均的な消費電力が低く抑えられるので、監視設備と表示装置を接続する接続線の電力損失ならびに光源自身の高電力化にともなう電力損失の発生を低く抑えることができ、監視設備の電源およびバックアップ電池の増設をおこなうことなく、表示装置の表示の気づき度を高めることができる。
【発明の効果】
【００１７】
以上のように、本発明によれば、電源装置あるいはバックアップ電池の増設をおこなうことなく、緊急時の表示装置の表示の気づき度を高めることができる。
【発明を実施するための最良の形態】
【００１８】
第１の発明は、外部電源から電源を入力する外部電源入力手段と、ＬＥＤ、ランプなどの第１の光源を有し緊急発生時に文字表示をおこなう第１の文字表示手段と、高電圧の第２の光源を有し緊急発生時に高輝度点滅をおこなう第２の高輝度表示手段と、前記第１の文字表示手段および前記第２の高輝度表示手段の点滅制御をおこなう表示制御手段とを備えるようにしている。
【００１９】
これによって、緊急発生時に表示する表示装置は、第２の高輝度表示手段は高電圧の瞬時に高輝度を発生する光源を使用しているので平均値の低い消費電流になり監視設備の電源あるいはバックアップ電池の容量の増設をおこなうことなく、気づき度の高い表示をおこなうことができ様々な設置環境に適用することができる。
【００２０】
第２の発明は、前記外部電源入力手段からの電源を昇圧し、第２の高輝度表示手段の電源とする昇圧手段と、第１の文字表示手段および第２の高輝度表示手段の点滅制御をおこなう点滅手段とを有し、前記第１の文字表示手段および前記第２の高輝度表示手段の点滅を離散的な非同期の点滅制御をおこなう表示制御手段を備えるようにしている。
【００２１】
このことにより、昇圧手段の充電電圧を第２の高輝度表示手段の電源とし第２の高輝度表示手段の点滅をおこなうようにしている。
【００２２】
この昇圧手段により表示装置の受電電流の平均値電流を低く抑えられ、また、前記第１の文字表示手段および前記第２の高輝度表示手段の点滅を離散的な非同期の点滅制御とし、さらに第２の高輝度表示手段の点滅周期を長くすることにより、昇圧手段の昇圧速度を低くできるので平均消費電流はより小さくなり監視設備と表示装置を接続する接続線の電力損失（電圧降下）が低減されるので、監視装置の電源容量を増やしたり、また停電時に作動するバックアップ用電池などの増設をおこなう必要もなく気づき度を向上することができる。
【００２３】
第３の発明は、第１の文字表示手段の点滅動作の消灯時に昇圧手段の昇圧動作をおこなうようにした表示制御手段を備えるようにしている。
【００２４】
このことにより、点滅手段は、前記第１の文字表示手段の点滅動作の消灯時に前記昇圧手段の昇圧動作をおこなうので、第１の文字表示手段の点灯電流と昇圧動作の動作電流が重なることがないので受電電流の平均値が低く抑えられ、監視装置と表示装置の接続線による電力損失を低く抑えることができる。
【００２５】
第４の発明は、第２の高輝度表示手段の点灯時間＜第１の文字表示手段の消灯時間とするとともに前記第１の文字表示手段の消灯時に前記第２の高輝度表示手段を点灯する表示制御手段を備えるようにしている。
【００２６】
このことにより、第１の文字表示手段の点灯と第２の高輝度表示手段の点灯が重ならないので受電電流の増加が抑えられるとともに、第２の高輝度表示手段の点灯が第１の文字表示手段の輝度に影響を与えることがなくなり視認性の低下を防止することができる。
【００２７】
以下、本発明の実施の形態について、図面を参照しながら説明する。
なお、この実施の形態によって本発明が限定されるものではない。
【００２８】
（実施の形態１）
図１は、本発明の実施の形態１における表示装置の外観図である。
【００２９】
図１において、表示装置１０は、第１の文字表示手段１１と第二の高輝度表示手段１２とからなる。
【００３０】
第１の文字表示手段１１は、ランプ、LED、液晶表示などから構成され異常発生時に監視装置から電力供給を受け緊急の文字表示をおこなう。
【００３１】
たとえば、消火設備であれば、火災発生時に「ガス放出中」や「入室禁止」などの文字表示をおこない周囲の人々に注意を促す。
【００３２】
図２は監視装置（図示せず）に接続される接続線から供給される電源線に対して、表示装置１０に構成される第１の文字表示手段１１ならびに第２の高輝度表示手段１２との関わりを示すブロック図である。
【００３３】
監視設備から供給される電源は、監視設備が異常を検出して緊急表示を必要とする時に、監視設備から電源が供給される。また、第１の文字表示手段１１を点滅表示する場合は、監視設備から供給される供給電源がオン/オフされることによりおこなわれる。
【００３４】
第２の高輝度表示手段は高輝度の弟２の光源を有しており、高圧駆動によりフラッシュ点滅をおこなう。
【００３５】
また、監視設備から電源の供給は連続して行われ、たとえば他の通信線で表示装置１０と監視設備を結び通信線の情報で表示装置がその情報を受けて第２の高輝度表示手段１２を点滅させるようにしてもよい。
【００３６】
図３は、実施の形態１における詳細なブロック図であり、第一の文字表示手段１１はランプ、ＬＥＤ、液晶表示などから構成される。
【００３７】
第２の高輝度表示手段１２は内部で高圧化と高輝度の光源を有している。このブロック図のａおよびｂは、監視設備から電源が供給される。
【００３８】
第２の高輝度表示手段１２は内部で高圧を発生して第２の光源を点灯させるように構成されている。
【００３９】
図４は、第２の高輝度表示手段１２の一例のブロック図を示す。
【００４０】
接続線ａ，ｂから供給される監視設備からの電源は昇圧回路１３により昇圧されコンデンサ１５に充電される。昇圧回路１３とコンデンサ１５を有しているので、接続線から受電する平均電流を低く抑えることができる。高電圧の第２の光源１７は２端子定電圧制御素子１６が動作することにより高輝度点灯をおこなう。
【００４１】
図５は、監視設備が異常を検出して表示装置１０に送られてくる電源線の電圧と第１の文字表示手段１１と第２の高輝度表示手段１２の点灯タイミングを示す。
【００４２】
このように高電圧の第２の光源１７を有した弟２の高輝度表示手段１２をもうけることにより、監視設備からの受電電流が小さくても高輝度の表示がおこなわれて接続線の電力損失を抑えることができ、監視設備あるいは、バックアップ電池の容量を増やすことなく周囲の人々への気づき度を高めることができる。
（実施の形態２）
図６は、本発明の実施の形態２におけるブロック構成図である。
【００４３】
第１の文字表示手段１１の点灯／消灯の状態は、監視設備からの電圧変化で点灯／消灯をおこなうように点滅手段２１でおこなわれる。第二の高輝度表示手段１２は昇圧手段２２が高圧になった時に第一の表示手段１１とは離散的に非同期で点灯される。
【００４４】
また、第一の文字表示手段１１と第二の高輝度表示手段１２の点灯タイミングを点滅手段２１で例えば第二の高輝度表示手段１２の点灯タイミングを第一の文字表示手段１１が消灯している時に点灯するようにもできる。
【００４５】
このことにより、第一の文字表示手段１１の視認性を第二の高輝度表示手段１２が阻害することをさけることもできる。
【産業上の利用可能性】
【００４６】
以上のように、本発明は、第一の文字表示手段と第二の高輝度表示手段を用いることで、電力供給設備を増設することなく、緊急時の表示の気づき度を向上できるので、監視設備以外に表示の注意を促す装置であるセキュリティーシステムにおいても利用可能である。
【図面の簡単な説明】
【００４７】
【図１】本発明の実施の形態１における表示装置の外観図
【図２】本発明の実施の形態１における第１の文字表示手段１１ならびに第２の高輝度表示手段１２との関わりを示すブロック図表示装置のブロック図
【図３】本発明の実施の形態１における詳細なブロック図
【図４】本発明の実施の形態１における弟２の高輝度表示手段１２の一例を示すブロック図
【図５】本発明の実施の形態１における第１の文字表示手段と弟２の高輝度表示手段の点灯のタイミング図
【図６】本発明の実施の形態２におけるブロック図
【符号の説明】
【００４８】
１０  表示装置
１１  第１の文字表示手段
１２  第２の高輝度表示手段
２１  点滅手段
２２  昇圧手段
２４  表示制御手段
２３  外部電源入力手段
【図１】
2008041040.tif 000003
【図２】
2008041040.tif 000004
【図３】
2008041040.tif 000005
【図４】
2008041040.tif 000006
【図５】
2008041040.tif 000007
【図６】
2008041040.tif 000008